【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、複数の異なる印刷エンジンからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路と、
前記中間シート搬送経路から前記下側シート搬送経路の前記第１の部分へと伸びる複数の下側シート一時保管経路とを備え、
前記中間の投入経路からシート一時保管経路を通って前記上側シート搬送経路及び前記下側シート搬送経路の一方へと搬送されたいずれのシートも、前記シート取出口に隣接する位置で前記中間シート搬送経路へと再進入するようにした多シート一時保管モジュールであって、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口から併合したシートの前記流れが出力される際に、シートの併合した前記流れにおける前記シートの望ましい順序が達成されるようにしたコントローラを備えることを特徴とする多シート一時保管モジュール。
【請求項２】
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、複数の異なる印刷エンジンからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路であって、それぞれが第１の長さを有する上側シート一時保管経路と、
複数の下側シート一時保管経路であって、各下側シート一時保管経路が前記第１の長さと異なる第２の長さを有し、前記上側シート一時保管経路及び前記下側シート一時保管経路は異なる一時保管能力を有し、前記中間シート搬送経路から前記下側シート搬送経路の前記第１の部分へと伸びる前記下側シート一時保管経路とを備え、
前記中間の投入経路からシート一時保管経路を通って前記上側シート搬送経路と前記下側シート搬送経路の一方へと搬送されたいずれのシートも、前記シート取出口に隣接する位置で前記中間シート搬送経路へと再進入するようにした多シート一時保管モジュールであって、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口から併合したシートの前記流れが出力される際に、シートの併合した前記流れにおける前記シートの望ましい順序が達成されるようにしたコントローラを備えることを特徴とする多シート一時保管モジュール。
【請求項３】
第１の印刷エンジンモジュールと、
前記第１の印刷エンジンモジュールに隣接する第２の印刷エンジンモジュールと、
多シート一時保管モジュールとを備える印刷システムであって、
多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、前記第１の印刷エンジンモジュール及び前記第２の印刷エンジンモジュールからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路と、
前記中間シート搬送経路から前記下側シート搬送経路の前記第１の部分へと伸びる複数の下側シート一時保管経路とを備え、
前記中間の投入経路からシート一時保管経路を通って前記上側シート搬送経路と前記下側シート搬送経路との一方へと搬送されたいずれのシートも、前記シート取出口に隣接する位置で前記中間シート搬送経路へと再進入するようにし、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口で併合したシートの前記流れが出力される際に、シートの併合した前記流れにおける前記シートの望ましい順序が達成されるようにしたコントローラを備え、
前記コントローラは、さらに前記移動を制御し、シートの併合した前記流れにおけるいずれかのシートは前記中間シート搬送経路からいずれかのシート一時保管経路に方向転換され、前記中間シート搬送経路から他のシート一時保管経路に方向転換される他のシートとは異なる所定の設定時間保持され、次いで、前記上側シート搬送経路と前記下側シート搬送経路との対応する一方へ後で給送され、前記中間シート搬送経路にいずれかのシートが再進入する際に、前記望ましい順序を達成するために所定点で前記いずれかのシートがシートの併合した前記流れに戻すように挿入されることを特徴とする印刷システム。
【請求項４】
第１の印刷エンジンモジュールと、
前記第１の印刷エンジンモジュールに隣接する第２の印刷エンジンモジュールと、
多シート一時保管モジュールとを備える印刷システムであって、
多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、前記第１の印刷エンジンモジュール及び前記第２の印刷エンジンモジュールからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路であって、それぞれが第１の長さを有する上側シート一時保管経路と、
複数の下側シート一時保管経路であって、各下側シート一時保管経路が前記第１の長さと異なる第２の長さを有し、前記上側シート一時保管経路及び前記下側シート一時保管経路は異なる一時保管能力を有し、前記中間シート搬送経路から前記下側シート搬送経路の前記第１の部分へと伸びる前記下側シート一時保管経路とを備え、
前記中間の投入経路からシート一時保管経路を通って前記上側シート搬送経路と前記下側シート搬送経路の一方へと搬送されたいずれのシートも、前記シート取出口に隣接する位置で前記中間シート搬送経路へと再進入するようにし、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口で併合したシートの前記流れが出力される際に、シートの併合した前記流れにおける前記シートの望ましい順序が達成されるようにしたコントローラを備え、
前記コントローラは、さらに前記移動を制御し、シートの併合した前記流れにおけるいずれかのシートは前記中間シート搬送経路からいずれかのシート一時保管経路に方向転換され、前記中間シート搬送経路から他のシート一時保管経路に方向転換される他のシートとは異なる所定の設定時間保持され、次いで、前記上側シート搬送経路と前記下側シート搬送経路との対応する一方へ後で給送され、前記中間シート搬送経路にいずれかのシートが再進入する際に、前記望ましい順序を達成するために所定点で前記いずれかのシートがシートの併合した前記流れに戻すように挿入されることを特徴とする印刷システム。
【手続補正２】
【補正対象書類名】明細書
【補正対象項目名】０００５
【補正方法】変更
【補正の内容】
【０００５】
本発明の多シート一時保管モジュールのうち、第１の多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、複数の異なる印刷エンジンからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路と、
前記中間シート搬送経路から前記下側シート搬送経路の前記第１の部分へと伸びる複数の下側シート一時保管経路とを備え、
前記中間の投入経路からシート一時保管経路を通って前記上側シート搬送経路及び前記下側シート搬送経路の一方へと搬送されたいずれのシートも、前記シート取出口に隣接する位置で前記中間シート搬送経路へと再進入するようにした多シート一時保管モジュールであって、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口から併合したシートの前記流れが出力される際に、シートの併合した前記流れにおける前記シートの望ましい順序が達成されるようにしたコントローラを備えることを特徴とする多シート一時保管モジュールである。
【手続補正３】
【補正対象書類名】明細書
【補正対象項目名】０００６
【補正方法】変更
【補正の内容】
【０００６】
本発明の多シート一時保管モジュールのうち、第２の多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、複数の異なる印刷エンジンからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路であって、それぞれが第１の長さを有する上側シート一時保管経路と、
複数の下側シート一時保管経路であって、各下側シート一時保管経路が前記第１の長さと異なる第２の長さを有し、前記上側シート一時保管経路及び前記下側シート一時保管経路は異なる一時保管能力を有し、前記中間シート搬送経路から前記下側シート搬送経路の前記第１の部分へと伸びる前記下側シート一時保管経路とを備え、
前記中間の投入経路からシート一時保管経路を通って前記上側シート搬送経路と前記下側シート搬送経路の一方へと搬送されたいずれのシートも、前記シート取出口に隣接する位置で前記中間シート搬送経路へと再進入するようにした多シート一時保管モジュールであって、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口から併合したシートの前記流れが出力される際に、シートの併合した前記流れにおける前記シートの望ましい順序が達成されるようにしたコントローラを備えることを特徴とする多シート一時保管モジュールである。
【手続補正４】
【補正対象書類名】明細書
【補正対象項目名】０００７
【補正方法】変更
【補正の内容】
【０００７】
また、本発明の印刷システムのうち、第１の印刷システムは、
第１の印刷エンジンモジュールと、
前記第１の印刷エンジンモジュールに隣接する第２の印刷エンジンモジュールと、
多シート一時保管モジュールとを備える印刷システムであって、
多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、前記第１の印刷エンジンモジュール及び前記第２の印刷エンジンモジュールからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路と、
前記中間シート搬送経路から前記下側シート搬送経路の前記第１の部分へと伸びる複数の下側シート一時保管経路とを備え、
前記中間の投入経路からシート一時保管経路を通って前記上側シート搬送経路と前記下側シート搬送経路との一方へと搬送されたいずれのシートも、前記シート取出口に隣接する位置で前記中間シート搬送経路へと再進入するようにし、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口で併合したシートの前記流れが出力される際に、シートの併合した前記流れにおける前記シートの望ましい順序が達成されるようにしたコントローラを備え、
前記コントローラは、さらに前記移動を制御し、シートの併合した前記流れにおけるいずれかのシートは前記中間シート搬送経路からいずれかのシート一時保管経路に方向転換され、前記中間シート搬送経路から他のシート一時保管経路に方向転換される他のシートとは異なる所定の設定時間保持され、次いで、前記上側シート搬送経路と前記下側シート搬送経路との対応する一方へ後で給送され、前記中間シート搬送経路にいずれかのシートが再進入する際に、前記望ましい順序を達成するために所定点で前記いずれかのシートがシートの併合した前記流れに戻すように挿入されることを特徴とする印刷システムである。
【手続補正５】
【補正対象書類名】明細書
【補正対象項目名】０００８
【補正方法】変更
【補正の内容】
【０００８】
また、本発明の印刷システムのうち、第２の印刷システムは、
第１の印刷エンジンモジュールと、
前記第１の印刷エンジンモジュールに隣接する第２の印刷エンジンモジュールと、
多シート一時保管モジュールとを備える印刷システムであって、
多シート一時保管モジュールは、
第１の側と、前記第１の側に対し反対側の第２の側とを有するフレームと、
前記第１の側のシート投入口から前記第２の側のシート取出口へと前記フレームを水平に横断して伸びる直線的な中間シート搬送経路であって、前記シート投入口及び前記シート取出口は、前記フレームの同じ高さに位置しており、前記シート投入口は、前記第１の印刷エンジンモジュール及び前記第２の印刷エンジンモジュールからの併合したシートの流れを受け取る中間シート搬送経路と、
前記中間シート搬送経路の上側の上側シート搬送経路及び前記中間シート搬送経路の下側の下側シート搬送経路であって、前記中間シート搬送経路と略平行な第１の部分と、前記シート取出口に隣接する位置で前記中間シート搬送経路に接続された第２の部分とをそれぞれ有する前記上側シート搬送経路及び前記下側シート搬送経路と、
前記中間シート搬送経路から前記上側シート搬送経路の前記第１の部分へと伸びる複数の上側シート一時保管経路であって、それぞれが第１の長さを有する上側シート一時保管経路と、
複数の下側シート一時保管経路であって、各下側シート一時保管経路が前記第１の長さと異なる第２の長さを有し、前記上側シート一時保管経路及び前記下側シート一時保管経路は異なる一時保管能力を有し、前記中間シート搬送経路から前記下側シート搬送経路の前記第１の部分へと伸びる前記下側シート一時保管経路とを備え、
前記中間の投入経路からシート一時保管経路を通って前記上側シート搬送経路と前記下側シート搬送経路の一方へと搬送されたいずれのシートも、前記シート取出口に隣接する位置で前記中間シート搬送経路へと再進入するようにし、
さらに、前記中間シート搬送経路、前記上側シート一時保管経路及び前記下側シート一時保管経路に操作可能に接続されたコントローラであって、前記一時保管モジュールを通って搬送されるそれぞれのシートの移動を選択的に制御し、シートの併合した前記流れにおける前記シートを選択的に再順序付けし、前記シート取出口で併合したシートの前記流れが出力される際に、シートの併合した前記流れにおける前記シートの望ましい順序が達成されるようにしたコントローラを備え、
前記コントローラは、さらに前記移動を制御し、シートの併合した前記流れにおけるいずれかのシートは前記中間シート搬送経路からいずれかのシート一時保管経路に方向転換され、前記中間シート搬送経路から他のシート一時保管経路に方向転換される他のシートとは異なる所定の設定時間保持され、次いで、前記上側シート搬送経路と前記下側シート搬送経路との対応する一方へ後で給送され、前記中間シート搬送経路にいずれかのシートが再進入する際に、前記望ましい順序を達成するために所定点で前記いずれかのシートがシートの併合した前記流れに戻すように挿入されることを特徴とする印刷システムである。